(57)【要約】      （修正有）【課題】測定子の材質が鋼材の場合、先端直径を０．５mmより小さくすると変形しやすくなってしまったり、加工されて磁気を帯びた微細な金属粉が測定子先端に付着しやすくなるため、先端直径を小さくしても変形を起こさず、磁気を帯びた微細な金属粉が付着しない測定子を提供する。【解決手段】取付部から胴部、測定部、測定部先端の全てをセラミック製で一体とした。【選択図】図４
2011085548.tif 000002
【特許請求の範囲】
【請求項１】
棒状の測定部と、該測定部に連結され、該測定部よりも大きな直径を有する棒状の胴部からなることを特徴とするセラミック製の測定子。
【請求項２】
請求項１記載のセラミック製測定子と、該測定子の胴部が挿入される穴と、測定器の雌ねじ部にねじ込まれる雄ねじを有する金属製アタッチメントとからなることを特徴とする測定子。
【請求項３】
棒状の測定部と、該測定部に連結され該測定部よりも大きな直径を有する棒状の胴部と、該胴部に連結され測定器への取付けのための雄ねじ部とからなり、かつ、前記測定部、前記胴部及び前記雄ねじ部が一体成形されたことを特徴とするセラミック製の測定子。
【発明の詳細な説明】
【技術分野】
【０００１】
本発明は、狭い幅の溝の深さを測ることもできる測定子に関するものである。
【背景技術】
【０００２】
測定子（１４）は、垂直方向の高さや深さを測定するために、例えばニコン製デジマイクロ（商品名）（図１）やハイトゲージ（図２）などの測定器の先端に取り付けて使用するもので、精密機械部品の測定作業の際には必要欠くべからざるツールである。例えば溝（１１２）の深さを測る場合、図１に示すように、まず、測定子（１４）を検知部（１６）に接続され、バネによって常に下方に押されているロッド（１３）の先端に取り付けておく。次に検知部が取り付けられたアーム（１７）を、被測定物（１５）の大きさに合わせて、測定子の先端が測定したい面（溝の底面、１１３）よりも少し下方になるように高さを決めて、ロックネジ（１８）にて支柱（１９）に固定する。被測定物をベース（１１０）に置き、ロッドを持ち上げて測定子の先端を被測定物の最上面（１１１）よりも高い位置まで逃がし、その真下に被測定物（１５）を移動させる。測定子先端を被測定物の最上面にあて、リセットボタン（１２）によって測定値表示部（１１）の表示を０にする。次に、ロッドを少し持ち上げた状態にして、被測定物を測定子先端が溝（１１２）の中に入る位置まで移動させる。測定子先端を溝の底面（１１３）に当てることによって、表示部に数値が表示され、溝の深さ測定が終了する。現在市販されている測定子（図３）は、測定部（３２）の先端（３２）の最小直径がφ０．５mm（３１）となっている。従って、０．５mmよりも狭い部分の深さを測定することができない。
【０００３】
この改善策として、幅が０．５mmよりも狭い溝などの深さを測定する際は、先端を針状に加工した鋼材や、縫い針などを取り付けて測定する方法がある。
【０００４】
しかし、先端を針状にした鋼材の測定子や、代用の縫い針などの先端は強度が弱く、すぐに変形（つぶれ、曲がり）してしまい、精密な測定ができなくなってしまう。
【０００５】
また、被測定物である精密機械部品はその材料が鋼材の場合がほとんどで、その加工の際にマグネットチャックによって固定されることが多く、その影響で磁気を帯びてしまう。従って、加工の際に発生する磁気を帯びた微細な金属粉が鋼材の測定子や縫い針に付着して、やはり精密測定の妨げとなる。
【０００６】
精密機械部品においては、1/1,000mm（１ミクロン）の精度の加工・測定が必要になるため、このような測定不具合は容認できない。
【先行技術文献】
【特許文献】
【０００７】
【特許文献１】特開２００８−１８０５５７号公報
【発明の概要】
【発明が解決しようとする課題】
【０００８】
解決しようとする問題点は、測定子の材質が鋼材の場合、先端直径を０．５mmより小さくすると変形しやすくなってしまうことと、加工されて磁気を帯びた微細な金属粉が測定子先端に付着しやすくなる２点である。
【課題を解決するための手段】
【０００９】
本発明は、先端直径を小さくしても変形を起こさず、磁気を帯びた微細な金属粉が付着しないようにするため、測定子をセラミックで製作することを最も主要な特徴とする。
【発明の効果】
【００１０】
本発明の測定子は、材料がセラミックであるため、測定部先端を細くしても金属の測定子のように変形（つぶれ、曲がり）しない。また、セラミック製であるため、磁気を帯びた金属粉も付着しないという利点がある。加えて、静電気を帯びることもないので、電子機器や半導体関連のように、静電気が機器の機能に悪影響をあたえてしまう部品の測定にも有効な手段となる。
【図面の簡単な説明】
【００１１】
【図１】図１は、ニコン製デジマイクロ（商品名）の概略図と、測定子を取り付けて測定している説明図である。
【図２】図２はハイトゲージの概略図である。。
【図３】図３は現在市販されている測定子の形状および概略寸法図である。
【図４】図４は実施例１の全体図である。
【図５】図５は実施例１の測定子の形状図である。
【図６】図６は実施例１のアタッチメントの形状図である。
【図７】図７は実施例２の形状図である。
【実施例１】
【００１２】
図４は、本発明の実施例１の全体図であって、セラミック製測定子（４１）と測定器のロッド（１３）に取り付けるための金属製アタッチメント（４２）で構成されている。測定子とアタッチメントは接着やねじ止めによって固定する。図５は実施例１のセラミック製測定子の形状図で、胴部（５１）と測定部（５２）で構成され、胴部、測定部ともに棒状であり、被測定部に接触させる測定部先端（５３）は球面形状、あるいは平面形状となっている。図６は、セラミック製測定子（図５）を測定器のロッド（１３）に取り付けるためのねじ部（６１）を有した金属製のアタッチメントである。
【実施例２】
【００１３】
図７は、本発明の実施例２の形状図であり、この実施例では、微小な磁気や静電気の発生をも許容できない被測定物の測定用に実施したもので、金属製のアタッチメントを使用しないで済むように、取付部から胴部、測定部、測定部先端の全てをセラミック製で一体とした。
【産業上の利用可能性】
【００１４】
日本の産業を支えている、金型や装置などの部品加工においては、測定子は必要欠くべからざるツールであり、今までは金属（熱処理された鋼材）での一体形状や、先端を人工宝石にするなどで製作されていたが、先端を細くした時の変形の心配や、コストアップになるなどの問題を抱えていた。
【００１５】
本発明の実施例１の測定子は、試算した結果、現状の最小直径である人工ルビー先端を有する測定子の約１０分の１のコストで製作が可能であり、機械部品加工産業、測定機器産業、電子部品・機器製造業、半導体関連の製品・装置産業に大きく貢献すると考えられる。
【符号の説明】
【００１６】
１１．測定値表示部
１２．表示数値を“０”にする、リセットボタン
１３．ロッド
１４．測定子
１５．被測定物
１６．検知部
１７．アーム
１８．ロックネジ
１９．支柱
１１０．ベース
１１１．被測定物の最上面
１１２．被測定物の溝
１１３．溝底面
３１．市販測定子の先端最小径（φ０．５）
３２．市販測定子の測定部
３３．市販測定子の先端
４１．セラミック製測定子
４２．金属製アタッチメント
４３．取付ねじ部
５１．セラミック製測定子の胴部
５２．セラミック製測定子の測定部
５３．セラミック製測定子の先端
６１．金属製アタッチメントの取付ねじ部
６２．金属製アタッチメントのセラミック製測定子組込み穴
７１．セラミック製一体形測定子の取付ねじ部
７２．セラミック製一体形測定子の胴部
７３．セラミック製一体形測定子の測定部
７４．セラミック製一体形測定子の先端
【図１】
2011085548.tif 000003
【図２】
2011085548.tif 000004
【図３】
2011085548.tif 000005
【図４】
2011085548.tif 000006
【図５】
2011085548.tif 000007
【図６】
2011085548.tif 000008
【図７】
2011085548.tif 000009